(57)【特許請求の範囲】
【請求項１】
建設機械における各種の監視または警報の表示対象を表示する表示装置において、
複数の表示対象から選択された１つの表示対象を画面上の主たる表示領域に表示しうる液晶表示面と、
該液晶表示面の視認方向手前に配置されて、主たる表示領域に表示された目盛りを指示する針式ゲージとを備え、
該針式ゲージを駆動するムーブメントが、針式ゲージより視認方向手前に設けられた表示装置のケーシングの内壁に取り付けられていることを特徴とする建設機械の表示装置。
【請求項２】
上記液晶表示面には、一つの主たる表示領域と、一または複数の副たる表示領域が同時に表示されるようになっており、副たる表示領域に表示された表示対象と主たる表示領域に表示された表示対象とが交替するよう切り替え可能となっており、
画面の全部または一部が文字または図形を表示する表示領域になると、針式ゲージの針は上記表示領域を交差しない待機位置に変位してなることを特徴とする請求項１に記載の建設機械の表示装置。
【請求項３】
建設機械に所定の異常が発生すると、上記針式ゲージの針が待機位置に戻り、主たる表示領域に文字または図形が表示されて異常警報を表示しうることを特徴とする請求項２に記載の建設機械の表示装置。
【請求項４】
上記液晶表示面と上記針式ゲージの間に、光源を有する発光板を配置し、
該発光板には、目盛り対応位置に開口部を穿設してなり、
該開口部から上記液晶表示面に表示された目盛りの液晶表示が見えるように形成されていることを特徴とする請求項１または２に記載の建設機械の表示装置。
【発明の詳細な説明】
【０００１】
【発明の属する技術分野】
この発明は、建設機械における各種の監視または警報の表示対象を表示する表示装置の改良に関する。
【０００２】
【従来の技術】
一般に、建設機械、特に油圧ショベルの表示装置にあっては、燃料、エンジン冷却水を監視する他にショベルを駆動する作動油の温度も監視する必要があり、またバッテリーやオイル圧力等についての警報も入れると、表示対象の数が相当数に上り、限られたスペースの中で、それら全ての対象を配置しなければならない。
そこで、従来の表示装置としては、図７に示すように、従来の建設機械の表示装置３１では、例えば燃料計３２、エンジンの冷却水の水温計３３、作動油の油温計３４の三個の針式ゲージと、複数個の警報を表示する警報灯群３５とが組み合わされた構成が知られている。
上記の針式ゲージ３２〜３４において、表示印刷面３７に印刷された目盛り表示部３２ａ、３３ａ、３４ａは、表示対象ごとに描かれており固定位置に配置されている。なお、符号３２ｂ、３３ｂ、３４ｂは、ゲージ用の針を示している。
【０００３】
この表示装置では、図８に示すように、針式ゲージ３２の針３２ｂを駆動するムーブメント３８は、表示印刷面３７の裏側に配置され、このムーブメント３８から延びるシャフト３８ａが表示印刷面３７を貫通して針３２ｂの基端に連結されている。
【０００４】
次に、図９に示す従来の建設機械の表示装置４１では、液晶表示により表示対象の変化量を示す燃料計４２、エンジンの冷却水の水温計４３、作動油の油温計４４と、警報を文字表示する液晶表示画面４５とが組み合わされた構成からなっている。
しかしながら、上記図７及び８に示すアナログ式の表示装置３１にあっては、針式ゲージ３２〜３４の目盛り表示部３２ａ〜３４ａが表示印刷面３７に印刷され固定されているので、それぞれの針式ゲージ３２〜３４の大きさが制限され、またそれぞれの針式ゲージ３２〜３４が提供する計測情報も一つに固定されている。
また、図９に示す表示装置４１にあっては、液晶式ゲージ４２〜４４であり、針式ゲージに比べて視認性に制限がある。
【０００５】
【発明が解決しようとする課題】
この発明は上述した事情に鑑みてなされたものであり、その主たる課題は、視認性に優れている共に、状況により各種の表示対象からオペレータが必要とする表示対象を選択して表示することができる建設機械の表示装置を提供することにある。
【０００６】
【課題を解決するための手段】
上記課題を達成するために、請求項１の発明では、
建設機械における各種の監視または警報の表示対象を表示する表示装置において、
複数の表示対象から選択された１つの表示対象を画面上の主たる表示領域に表示しうる液晶表示面と、
該液晶表示面の視認方向手前に配置されて、主たる表示領域に表示された目盛りを指示する針式ゲージとを備え、
該針式ゲージを駆動するムーブメントが、針式ゲージより視認方向手前に設けられた表示装置のケーシングの内壁に取り付けられている、という技術的手段を講じている。
また、請求項２の発明では、
上記液晶表示面には、一つの主たる表示領域と、一または複数の副たる表示領域が同時に表示されるようになっており、副たる表示領域に表示された表示対象と主たる表示領域に表示された表示対象とが交替するよう切り替え可能となっており、
画面の全部または一部が文字または図形を表示する表示領域になると、針式ゲージの針は上記表示領域を交差しない待機位置に変位してなるこ、という技術的手段を講じている。
請求項３の発明では、
建設機械に所定の異常が発生すると、上記針式ゲージの針が待機位置に戻り、主たる表示領域に文字または図形が表示されて異常警報を表示しうる、という技術的手段を講じている。
また、請求項４の発明では、
上記液晶表示面と上記針式ゲージの間に、光源を有する発光板を配置し、
該発光板には、目盛り対応位置に開口部を穿設してなり、
該開口部から上記液晶表示面に表示された目盛りの液晶表示が見えるように形成されている、という技術的手段を講じている。
【０００７】
【発明の実施の形態】
以下に、この発明の建設機械の表示装置の実施例について図を参照しながら説明する。
表示装置１は、運転席の適宜個所、例えばコンソールボックスの上面や運転室の正面のパネル(図示省略)等に設置されるものであり、図１および図２に示すように、建設機械の各コンポーネントを監視するセンサ群Ｓが計測した値をもとにコントローラＣが制御して表示するようになっている。
【０００８】
この表示装置１は、表面に透明板５ａを設けたケーシング５内に、複数の表示対象から選択された１つの表示対象を画面上の主たる表示領域Ｅ１に表示する液晶表示面２と、該液晶表示面２の上方に配置されて、主たる表示領域Ｅ１に表示された目盛り表示部４の指針となる針３とを備えた構成からなっている。
【０００９】
図示例の場合、液晶表示面２の中央主要部の大きなスペースが主たる表示領域Ｅ１となっており、該主たる表示領域Ｅ１には、表示対象の１つとしてオペレータの確認頻度の高い燃料計の目盛り表示部４が表示されている。
この燃料計の目盛り表示部４は、表示対象の種別を示す燃料計のシンボルアイコン２２が略中央に表示され、その外側に円弧状に形成された燃料計用の目盛り１２と、その目盛り１２の外側で度合いを示す文字（図示例では、０を示すＥと、１／２と、満タンを示すＦ）１３とからなっている。
【００１０】
次に、この目盛り表示部４の目盛り１２と交差して指針となるゲージ用針３がケーシング５の上部に備えられている。
このゲージ用針３は、図２に示すように、その基端がシャフト３ａを介してムーブメント６の出力軸と連結されている。
上記構成からなるので、液晶表示面２にはシャフト３ａを貫通させる穴や切欠き等を形成する必要がなくなる。
【００１１】
そして、前記ムーブメント６は、液晶表示面２の上方のケーシング５の内壁に固着されている。
このムーブメント６を制御する針駆動制御部６ａと液晶表示面２の液晶制御部２ａとは、前記コントローラＣにより制御されて、所定の表示対象の目盛り表示と指針となる針の位置とを制御する。
【００１２】
次に、本実施例では、主たる表示領域Ｅ１の他に、小さいスペースを利用して副たる表示領域が設けられている。
即ち、液晶表示画面２の上方の左右のコーナーは、副たる表示領域Ｅ２、Ｅ３として液晶式ゲージで表示されており、主たる表示領域Ｅ１に表示された表示対象と異なる表示対象のゲージが示されている。
【００１３】
図１では、左側の副たる表示領域Ｅ２に、作動油の油温計を示すデジタルゲージ２１と、表示対象である油温計のシンボルアイコン２２が表示されており、図中右側の副たる表示領域Ｅ３にはエンジン冷却水の水温計を示すデジタルゲージ２３と水温計のシンボルアイコン２４とが表示されている。
【００１４】
この表示装置１の液晶表示面２は、表示装置１の下方中央に設けた切替えスイッチ７によりコントローラＣを介して、主たる表示領域Ｅ１に表示する表示対象を、他の副たる表示領域Ｅ２またはＥ３に表示されている表示対象に切り替えることができる。
この切替えスイッチ７は、表示装置１の任意の位置に配置してもよく、または運転席の他の場所に手元スイッチ(図示省略)として配置されるようにしてもよい。
【００１５】
上記実施例では、液晶表示面２に大きいスペースを占める主たる表示領域Ｅ１と小さいスペースからなる副たる表示領域Ｅ２、Ｅ３を設けたが、主たる表示領域Ｅ１のみを１つだけ設ける構成でもよい。
あるいは、主たる表示領域を複数設けても良い。
また、主たる表示領域の他に副たる表示領域を設ける場合に、副たる表示領域は１つであってもよいし、或いは３つ以上であってもよい。
液晶表示面２に複数の表示領域を設ければ、そこに複数の監視又は警告用の表示対象を同時に表示することができる。
そして、切替えスイッチ７によって、オペレータは必要とする所望の表示対象を選択して主たる表示領域Ｅ１に表示させることができる。
ここで、上記表示対象としては、メカニック用のサービス情報（サービスコード、エラー表示等）やその他機械情報（エンジン回転数等）も表示選択可能としてもよい。
【００１６】
図３は、図１に示す液晶表示画面２をオペレータが切り替えスイッチ７により切り替えて、主たる表示領域Ｅ１に水温計の目盛り表示部４’が表示される。
この水温計の目盛り表示部４’は、略中央に配置された水温計アイコン１４と、その外側に円弧状に配置された目盛り１５とからなっており、前記ゲージ用針３によって水温が表示される。
また、副たる表示領域Ｅ３には燃料計のデジタルゲージ２５と燃料計のシンボルアイコン２６とが表示される。
【００１７】
次に、図４に示す液晶表示面２の画面は、主たる表示領域Ｅ１に異常警報を表示する異なる実施例を示す。
コントローラＣは、監視または警報の対象となる測定値を予め設定しており、各種センサ群Ｓの測定値が異常か否か判定する。
例えば、冷却水の水温が異常上昇した場合に、コントローラＣは異常と判定して、液晶表示面２の主たる表示領域Ｅ１を異常表示画面に切り替え、異常値が計測された表示対象について異常警報を表示する。
【００１８】
即ち、まず自動的に針３を上記主たる表示領域Ｅ１と交差しないホームポジション(図４の左下)位置に戻し、主たる表示領域Ｅ１を図３の表示から図４の表示に切り替える。
そして、副たる表示領域Ｅ２、Ｅ３の間の画面上部中央位置は、異常シンボル表示領域Ｅ４となって、異常値が計測された表示対象の冷却水の水温計のシンボルアイコン２８が表示され、点滅する。
【００１９】
また、その下方の主たる表示領域Ｅ１には、異常内容を記した警報文２７が文字表示される。
この種の異常警報は、正副の表示領域に表示される表示対象に限らず、その他のセンサで検出可能な各種の計測対象や、異常の有無についての監視対象について異常が検出された場合に表示することができるようにしてもよい。
【００２０】
次に、図５および図６に示す建設機械の表示装置１では、液晶表示面２とゲージ用針３との間に発光板８を介設した異なる実施例を示す。
この発光板８は、その下方に配置された液晶表示面２’の液晶表示が見えるように開口部９が形成されており、またこの発光板８の基端にはランプ８ａ等の光源を備えて発光板８が発光するようにしている。
【００２１】
この表示装置１にあっては、ランプ８ａが発光板８を照射することにより、発光板８の開口部９から、その下にある液晶表示面２’に表示された目盛り１６を照らすので、これらが視覚的に強調されて、視認性が向上される。
この場合、開口部９の形状は一定であるため、液晶表示面２’に表示される目盛り１６の位置及び大きさが固定されるが、その他の表示の内容については液晶表示が切り替えられることにより可変とすることができる。
その他の構成は前記実施例と同様であるので同一構成には同一符号を付してその説明を省略する。
【００２２】
【発明の効果】
以上のようにこの発明の建設機械の表示装置によると、ゲージ用針を用いているので視認性に優れている。
また、液晶表示面で表示する表示対象を状況に応じ、またはオペレータの要求により切り替えることができ、表示対象は、限られたスペース内で最大限に設定された主たる表示領域に表示するので、見やすい表示とすることができる。
また、異常時には目盛りを切り替えて文字で情報を伝達することもでき、極めて有益である。
【図面の簡単な説明】
【図１】  この発明の建設機械の表示装置の一実施例を示す正面図である。
【図２】図１の縦断面図である。
【図３】図１の表示画面を切り替えた後の状態を示す正面図である。
【図４】図３の表示画面から異常表示画面に切り替えられた状態を示す正面図である。
【図５】建設機械の表示装置の他の実施形態を示す正面図である。
【図６】図５の縦断面図である。
【図７】従来の建設機械の表示装置の一例を示す正面図である。
【図８】図７に示す従来の建設機械の表示装置における一部縦断面図である。
【図９】従来の建設機械の表示装置の他の例を示す正面図である。
【符号の説明】
１        表示装置
２、２’  液晶表示面
２ａ      液晶制御部
３        針
４、４’  目盛り表示部
５        ケーシング
６        ムーブメント
６ａ      針駆動制御部
７        スイッチ
８        発光板
９        開口部
１１、１４  アイコン
１２、１５、１６  目盛り
１３        目盛り用文字
２１、２３、２５  デジタルゲージ
２２、２４、２６、２８  シンボルアイコン
２７        警報文
Ｃ          コントローラ
Ｅ１        主たる表示領域
Ｅ２、Ｅ３  副たる表示領域
Ｅ４        異常シンボル表示領域
Ｓ          センサ群
【図１】
0003793425.tif 000002
【図２】
0003793425.tif 000003
【図３】
0003793425.tif 000004
【図４】
0003793425.tif 000005
【図５】
0003793425.tif 000006
【図６】
0003793425.tif 000007
【図７】
0003793425.tif 000008
【図８】
0003793425.tif 000009
【図９】
0003793425.tif 000010